(57)【特許請求の範囲】
【請求項１】
装置内部にセルバス(7)を備えており、送信元からのデータをセルとして前記セルバス(7)に供給し前記セルバス(7)上のセルを送信先用のデータとして送信先に提供する部分を装着する多重化装置において、
種類の異なる通信に対応した複数の通信インターフェイス・カード(20a,20b)と、
前記複数の通信インターフェイス・カード(20a,20b)が装着位置自由に活線挿抜可能であって、装着された前記複数の通信インターフェイス・カード(20a,20b)との間でデータを送受するサブシェルフバス(22)と、装着された前記複数の通信インターフェイス・カード(20a,20b)から前記サブシェルフバス(22)に受け付けられたデータをセルとして装着されたセルバス(7)上に供給し、且つこの装着されたセルバス(7)上における自己宛のセルを取得しデータとして前記サブシェルフバス(22)に供給するインターフェイス多重化手段及びＡＴＭセル化手段（10,12）とを含み、且つ前記セルバス(7)に対して着脱自在であるサブシェルフ(18)と
を具備したことを特徴とする多重化装置。
【請求項２】
請求項１記載の多重化装置において、
前記サブシェルフ(18)に、前記セルバス(7)を介して自己と接続され且つ自己が供給するセルを取得する部分でトラヒックが管理されていればこの部分のトラヒックに関する管理を行うトラヒックシェーパ(24)を付加したことを特徴とする多重化装置。
【請求項３】
前記サブシェルフ(18)を、前記セルバス(7)に対して少なくとも一つ装着可能とするフリースロット手段(25)を具備したことを特徴とする請求項１記載の多重化装置。
【請求項４】
前記サブシェルフ(18)を複数備えたことを特徴とする請求項１記載の多重化装置。
【発明の詳細な説明】
【０００１】
【発明の属する技術分野】
本発明は、ユーザが利用する各種の通信サービスを提供するための多重化装置に関する。
【０００２】
【従来の技術】
近年における情報化社会の発達により、ユーザが利用する通信サービスの種類も多様化している。
【０００３】
この通信の例としては、専用線による通信、フレームリレー方式（ＦＲ）による通信、非同期転送モード（ＡＴＭ）による通信、時分割多重化方式（ＴＤＭ）による通信、インターネットにおけるＩＰアドレスによる通信、電話等がある。
【０００４】
ユーザが上記のような各種の通信サービスの併用を望む場合、この各種通信サービスを統合し、まとめて取扱い可能とすることにより、管理の容易化、接続の簡素化等が可能となる。この通信サービスの統合を実現するための装置に多重化装置がある。
【０００５】
図４は、従来の多重化装置の構成を示すブロック図であり、ユーザが通信サービスのうちＡＴＭ、ＦＲ、ＴＤＭを利用する場合を例として示している。
【０００６】
多重化装置１では、端末インターフェイスパッケージ（回路）２、３で受信された通信データがセルにされる（通信データがセルの場合にはそのまま扱われる）。そして、このセルが内部のセルバス７を介して送信先の端末インターフェイスパッケージ又はアクセス網インターフェイスパッケージに提供され、送信先の通信サービス用のデータに変換され送信先に提供される。
【０００７】
同様に、サービス提供網４からアクセス網５を介してアクセス網インターフェイスパッケージ６で受信された通信データもセルにされる（通信データがセルの場合にはそのまま扱われる）。そして、多重化装置１では、このセルが内部のセルバス７を介して送信先の端末インターフェイスパッケージに提供され、送信先の通信サービス用のデータに変換され送信先の端末に提供される。
【０００８】
ここでセルとは、固定長（５３バイト）の情報転送単位であり、５バイトのセルヘッダと４８バイトの情報フィールドから構成される。
【０００９】
従来の端末インターフェイスパッケージは、予め自己の扱う通信形式が定められている。すなわち、この従来の端末インターフェイスパッケージは、予め定められている通信形式を採用する複数の端末を統合する機能、あるいは予め定められている数種類の通信形式を採用する複数の端末を統合する機能を持つ。
【００１０】
図４で示す端末インターフェイスパッケージ２は、ＡＴＭの端末８ａ〜８ｃを統合させるための機能を持つ。
【００１１】
この端末インターフェイスパッケージ２は、ＡＴＭ端末８ａ〜８ｃからのセルをＡＴＭ用端末インターフェイス９ａ〜９ｃで受け付けると、この各ＡＴＭ用端末インターフェイス９ａ〜９ｃで受け付けたデータ列をインターフェイス多重化部１０で多重化する。そして、この多重化したデータをセルバスインターフェイス部１１のＡＴＭセル化部１２でセル化し、トラヒックシェーパ１３による通信量管理にしたがいつつセルバス７上に供給する。
【００１２】
また、この端末インターフェイスパッケージ２は、セルバス７上のセルをセルバスインターフェイス部１１で監視しており、自己宛のセルを取得してＡＴＭセル化部１２で分解する。そして、セルを分解して得られた結果をインターフェイス多重化部１０によって個々のデータ列とし、この個々のデータ列をＡＴＭ用端末インターフェイス９ａ〜９ｃのいずれかを介してＡＴＭ端末８ａ〜８ｃのうち送信先となっている端末に提供する。
【００１３】
上記のＡＴＭセル化部１２は、インターフェイス多重化部１０からのデータに基づいてセルを組み立てたり、セルバス７から受け付けたセルを分解してインターフェイス多重化部１０に提供するＡＴＭセル組立分解部（ＣＬＡＤ）１５を含む。
【００１４】
また、このＡＴＭセル化部１２は、ＡＴＭアダプテーション部（ＡＡＬ）１４を持つ。このＡＡＬ１４には、音声、画像、データなどＡＴＭレイヤ上で通信特性の異なるサービスを、その特性に対応して上位アプリケーションに提供する機能がある。
【００１５】
図４における端末インターフェイスパッケージ３も、上記の端末インターフェイスパッケージ２と同様の機能を持つが、この端末インターフェイスパッケージ３は単一種類の端末を統合するのではなく、ＡＴＭ端末８ｄ、ＦＲ端末８ｅ、ＴＤＭ端末８ｆという複数種類の端末を統合する点が異なっている。
【００１６】
したがって、この端末インターフェイスパッケージ３は、各ＡＴＭ端末８ｄ、ＦＲ端末８ｅ、ＴＤＭ端末８ｆとのデータをやり取りするＡＴＭ用端末インターフェイス９ｄ、ＦＲ用端末インターフェイス９ｅ、ＴＤＭ端末インターフェイス９ｆを持つ。
【００１７】
アクセス網インターフェイスパッケージ６も、上記端末インターフェイスパッケージ２、３と同様であるが、トラヒックシェーパ１６とアクセス網インターフェイス１７とが特徴的である。
【００１８】
アクセス網インターフェイスパッケージ６のトラヒックシェーパ１６は、セルバス７から取得したセルの内容をアクセス網５に送出する際に、アクセス網５の契約帯域を守るためにトラヒックを調整するトラヒックシェーピングを行う。
【００１９】
一方、アクセス網インターフェイス１７は、アクセス網からのデータを受け付けると、この内容をＡＴＭセル化部１２に提供する。また、ＡＴＭセル化部１２からのデータをアクセス網５を介してサービス提供網４に提供する。
【００２０】
制御パッケージ４１は、この多重化装置１における装置制御を実行する。
【００２１】
以上のように、多重化装置１では、各種通信端末８ａ〜８ｆを端末インターフェイスパッケージ２、３により一旦セルとし、同様にアクセス網５からの通信データをアクセス網インターフェイスパッケージ６により一旦セルとし、内部のセルバス７を用いてこのセルをやり取りすることで、各種通信サービスの差を吸収し、統合している。
【００２２】
このように、多重化装置１により通信サービスを統合すると、ユーザの望む通信サービスの追加や削除が容易となり、アクセス網５を介してサービス提供網４との接続を確保するのも容易となる。
【００２３】
また、例えば送信元がＡＴＭによる通信により通信データを送信するが、送信先がＦＲによる通信でしか通信データを受信できない場合であっても、通信データの送受信が可能となる。
【００２４】
なお、従来の多重化装置１において、上記の各種パッケージを収容可能なパッケージ収容スロットが複数個設けられ、この複数のパッケージ収容スロットのいずれに対しても、任意のパッケージを装着可能とすることで、ユーザが自由に多重化装置１の機能を変更可能とする場合もある。
【００２５】
【発明が解決しようとする課題】
上記のように、各種の通信サービスを統合する従来の多重化装置１は、予め定められている通信形式の複数の端末を統合するための端末インターフェイスパッケージ２や、予め定められている複数種類の通信形式の端末を統合するための端末インターフェイスパッケージ３を搭載する。
【００２６】
この従来の多重化装置１においては、各端末インターフェイスパッケージ２、３毎に、ＡＡＬ１４やＣＬＡＤ１５を備える必要があり、また必要ならばトラヒックシェーパ１３を備える場合がある。
【００２７】
また、従来の多重化装置１では、端末インターフェイスパッケージ２、３が複数の端末と接続可能であるが、接続可能な数の全ての端末を実際には接続しない場合がある。例えば、先の図４において、端末インターフェイスパッケージ２には３台のＡＴＭ端末が接続可能であるがユーザは２台のＡＴＭ端末しか所有していない場合もあり、同様に端末インターフェイスパッケージ３のうちＦＲ端末しか接続を望まない場合もある。
【００２８】
このような場合には、各端末インターフェイスパッケージ２、３毎のＡＡＬ１４、ＣＬＡＤ１５を有効利用していないことになる。
【００２９】
また、従来の多重化装置１においては、通信サービスを統合するために、端末インターフェイスパッケージ２、３やアクセス網インターフェイスパッケージ６等のような複数のパッケージが搭載される。
【００３０】
しかしながら、セルバスインターフェイス部１１を持つパッケージ２、３、６がこの従来の多重化装置１に多数実装されると、この実装された各パッケージ２、３、６からのセルをセルバス７上で扱うために当該各パッケージ２、３、６に対して必要となる制御パラメータの設定などの作業が複雑になる。
【００３１】
すなわち、従来の多重化装置１においては、インターフェイスパッケージ２、３、６毎に、ＡＡＬ１４、ＣＬＡＤ１５、トラヒックシェーパ１３又は１７を持つセルバスインターフェイス部１１を設けているため、端末等のような外部とのインターフェイスを確保するためのポート数が増大してその分だけこの多重化装置１内のセルバスインターフェイス部１１の数も増加し、装置が大規模になる。この場合、この各セルバスインターフェイス部１１の制御管理、セルバス７にセルを流す場合の各パッケージ２、３、６間の競合管理等が複雑になる。
【００３２】
また、従来の多重化装置１においては、どのパッケージ収容スロットに対しても端末インターフェイスパッケージ２、３を収容可能とするために、パッケージの大きさがある程度に制限されることになる。
【００３３】
このようなパッケージの大きさに制限があると、一つのパッケージに搭載できる端末インターフェイスの数も制限されるという問題がある。
【００３４】
また、従来の多重化装置１においては、アクセス網５にデータ（セルでもよい）を送出する際に、アクセス網５の契約帯域を守るためにデータのトラヒックを調整するトラヒックシェーピングを実行するためのトラヒックシェーパ１６をアクセス網への出口に実装している。
【００３５】
しかしながら、この従来の多重化装置１において、統合される端末数が増えるなどの原因によりこのアクセス網５に対するトラヒックを管理するトラヒックシェーパ１６の処理負荷が高くなり、処理速度が低下することがある。また、この処理速度低下を防止するために端末数などを制限することになる場合がある。
【００３６】
本発明は、以上のような実情に鑑みてなされたもので、通信端末との接続の自由化及び効率化を実現するための多重化装置を提供することを目的とする。
【００３７】
【課題を解決するための手段】
本発明の骨子は、データを受け付ける通信インターフェイス・カードを装着自在にする点にある。
【００３８】
第１の発明の多重化装置は、装置内部にセルバスを備えており、送信元からのデータをセルとして前記セルバスに供給し、セルバス上のセルを送信先用のデータとして送信先に提供する部分を装着する多重化装置に関する。
【００３９】
この第１の発明の多重化装置は、種類の異なる通信に対応した複数の通信インターフェイス・カードと、複数の通信インターフェイス・カードが装着位置自由に活線挿抜可能であって、装着された前記複数の通信インターフェイス・カードとの間でデータを送受するサブシェルフバスと、装着された複数の通信インターフェイス・カードからサブシェルフバスに受け付けられたデータをセルとして装着されたセルバス上に供給し、且つこの装着されたセルバス上における自己宛のセルを取得しデータとしてサブシェルフバスに供給するインターフェイス多重化手段及びＡＴＭセル化手段とを含み、且つセルバスに対して着脱自在であるサブシェルフとを具備する。
【００４０】
このように、通信インターフェイス・カードからのデータをサブシェルフバスでまとめて扱うことで、自由な数の通信インターフェイス・カードを自由にサブシェルフバスに着脱することができる。
【００４１】
ゆえに、様々な種別の通信インターフェイス・カードを使用状況に応じて装着し、種別に関係なくまとめて扱えるため、セルバスに接続しなければならないパッケージ数を減少させることができる。
【００４２】
また、このパッケージ数の減少により、通信サービスの統合に必要なＡＡＬ、ＣＬＡＤを削減することができるため、装置を簡素化することができ、経済性を向上させることができる。
【００４３】
なお、通信インターフェイス・カードの例としては、X.21/V.35インターフェイス・カード等がある。
【００４４】
また、サブシェルフバス上で扱われるデータとして、例えば時分割データを利用することができる。
【００４５】
第２の発明の多重化装置では、第１の発明の多重化装置の備えるサブシェルフに、装着されたセルバスを介して自己と接続され且つ自己が供給するセルを取得する部分でトラヒックが管理されていればこの部分のトラヒックに関する管理を行うトラヒックシェーパを付加している。
【００４６】
このように、トラヒックの管理を分散させることにより、例えばデータの入出力が集中する部分でのトラヒックシェーピングのセル遅延ゆらぎを抑圧するための機能を軽減させることができる。
【００４８】
第３の発明の多重化装置では、第１の発明の多重化装置の備えるサブシェルフを、セルバスに対して少なくとも一つ装着可能とするフリースロット手段を具備するとしている。
【００４９】
すなわち、この第３の発明の多重化装置は、上記第１の発明の多重化装置におけるサブシェルフを自在に装着可能としている。なお、第１の発明の多重化装置におけるサブシェルフのみならず、第２の発明の多重化装置におけるサブシェルフを装着可能としてもよい。
【００５０】
この第３の発明の多重化装置では、サブシェルフの着脱が自在であるが、その際に運用中の他のサブシェルフに影響を与えることがない。
【００５１】
したがって、統合する通信サービスの増加、減少が容易となり、保守が容易となる。
【００５２】
また、サブシェルフを他のパッケージと同様に扱うことができ、サブシェルフ単位でも増設、保守、制御設定することができる。
【００５３】
また、フリースロット手段により自由に接続可能であるため、サブシェルフの大きさを自由に設定できる。これにより、サブシェルフに装着可能な通信インターフェイスの数も自由に設定できる。
【００５４】
第４の発明の多重化装置は、第１の発明の多重化装置と同様であるが、サブシェルフを複数備えている。
ここで、サブシェルフには属性の共通する複数の通信インターフェイスを装着するとしてもよい。
【００５５】
なお、属性とは、通信における性質をいい、例えば伝送速度の高低、データ変換の機能、通信の種別をいう。
【００５６】
このように、属性毎にまとめて分類接続することで管理上の取扱いや認識等が容易となり、管理負担を軽減させることができる。
【００５７】
【発明の実施の形態】
以下、図面を参照しながら本発明の実施の形態について説明する。
【００５８】
（第１の実施の形態）
本実施の形態においては、通信インターフェイスへのデータや通信インターフェイスからのデータをサブシェルフバスで扱うことで、種別に関係なく通信インターフェースを着脱自在とするサブシェルフについて説明する。
【００５９】
図１は、本実施の形態に係るサブシェルフを多重化用筐体に装着して構成される多重化装置を例示すブロック図であり、図４と同一の部分については同一の符号を付して簡単に説明するかあるいは説明を省略し、ここでは異なる部分についてのみ詳しく説明する。
【００６０】
多重化装置１７は、少なくとも一つのサブシェルフ１８が多重化用筐体１９に装着されて構成される。また、このサブシェルフ１８にはいくつかの通信インターフェース・カードが装着され、この装着された通信インターフェイス・カードがそれぞれ対応する端末やネットワークに接続される。
【００６１】
通信インターフェイス・カードは、各種の通信サービスを提供する端末やネットワークとサブシェルフ１７との間のデータのやり取りを管理する。
【００６２】
ここでは、２台のサブシェルフ１８が多重化用筐体１９に接続されている場合を例として示している。また、２台のうち一方のサブシェルフ１８が４台の通信インターフェイス・カード２０ａ〜２０ｄを介して４台の端末２１ａ〜２１ｄに接続されており、他方のサブシェルフ１８が２台の通信インターフェイス・カード２０ｅ、２０ｆを介して２台の端末２１ｅ、２１ｆに接続されている場合を例として示している。
【００６３】
以下においては、この多重化装置１７を構成する一方のサブシェルフ１８の構成について説明し、他方のサブシェルフ１８については同様であるため説明を省略する。
【００６４】
サブシェルフ１８は、様々な種別の複数の通信インターフェイス・カードを着脱自在であり、装着された通信インターフェイス・カード２０ａ〜２０ｄからのデータをサブシェルフバス２２上に配置する。なお、ここでは通信インターフェイス・カード２０ａ〜２０ｄからサブシェルフバス２２に供給されるデータは時分割データ列であるとする。
【００６５】
そして、このサブシェルフ１８は、自己の装着する通信インターフェイス・カード２０ａ〜２０ｄから自己のサブシェルフバス２２上に供給された時分割データ列をインターフェイス多重化部１２で多重化し、この多重化した結果をセルバスインターフェイス部２３のＡＴＭセル化部１２でセル化し、必要があればトラヒックシェーパ２４による通信量管理にしたがいつつ、多重化用筐体１９のセルバス７上に供給する。
【００６６】
ここで、トラヒックシェーパ２４は、自サブシェルフ１８と接続関係にある端末２１ａ〜２１ｄへのトラヒックの管理に加え、多重化用筐体１９の備えるアクセス網インターフェイスパッケージ６からアクセス網５へのトラヒックの管理も行うという特徴を持つ。例えば、このサブシェルフ１８からセルバス７に供給され、その後アクセス網５へと出力されることになるデータが所定容量を超える場合に、トラヒックシェーパ２４はこのようなセルをセルバス７上に供給することを待ち状態とする。なお、待ち状態の制御によっては、データが所定容量を超えてもシェーピングを行わない場合もある。
【００６７】
また、このサブシェルフ１８は、セルバス７上のセルを監視し、セルの宛先に基づいてセルを取得すると、トラヒックシェーパ２４によるシェーピング処理を除き、上記の逆の処理でこの取得したセルの内容を該当する通信インターフェイス・カードを用いて該当する端末に送る。すなわち、サブシェルフ１８は、自己宛のセルを取得して分解し、この分解結果をインターフェイス多重化部１０によって個々のデータとしサブシェルフバス２２に供給する。これにより、該当する通信インターフェイス・カードが該当する端末にサブシェルフバス２２上のデータを提供する。
【００６８】
このサブシェルフ１８の特徴は、装着された通信インターフェイス・カード２０ａ〜２０ｄとの間で送受信するデータをサブシェルフバス２２上で扱うことで、通信インターフェイス・カードの装着位置を自由とし、自在に通信インターフェイス・カード２０ａ〜２０ｄを着脱可能とし、装着される通信インターフェイス・カードの種別を制限しない点にある。
【００６９】
次に、この多重化装置１７を構成する多重化用筐体１９の構成について説明する。
【００７０】
多重化用筐体１９は、サブシェルフ１８や先で述べた各種パッケージ２、３、６、４１を任意にどの位置にも実装可能とするフリースロット２５を備えている。このフリースロット２５に備えられた機器からのセルがセルバス７に供給される。
【００７１】
この多重化用筐体１９の特徴は、各種パッケージ２、３、６、４１やサブシェルフ１８が物理的な拘束をうけることなく自由に装着可能な点にある。
【００７２】
上記のような構成を持つ多重化装置１７の動作について以下に説明する。
【００７３】
まず、通信サービスの統合を図る場合には、自己の望む統合環境をユーザが想定し、この統合環境を実現するために必要なサブシェルフ１８やパッケージ２、３、６、４１が多重化用筐体１９のフリースロット２５に対して装着される。
【００７４】
また、ユーザが想定した統合環境となるように、サブシェルフ１８に対して通信インターフェイス・カードが装着される。ここで、通信インターフェイス・カードをどのサブシェルフ１８に装着するか、あるいはサブシェルフ１８のどの位置に通信インターフェイス・カードを装着するかは、ユーザが任意に決定可能である。
【００７５】
上記各種の装着により多重化装置１７が構成されると、ユーザによって制御設定が行われ、多重化装置１７の動作が開始される。
【００７６】
ここで、例えばアクセス網５を介してサービス提供網４に送出すべきデータが、端末２１ａから通信インターフェイス・カード２０ａに受け付けられたとする。
【００７７】
すると、通信インターフェイス・カード２０ａによって受け付けられたデータが、サブシェルフバス２２において取り扱われるデータ形式（例えば時分割データ列）に変換される。
【００７８】
インターフェイス多重化部１０では、このサブシェルフバス２２上の時分割データ列のいくつかが多重化され、ＡＴＭセル化部１２によってセル化される。
【００７９】
このセル化により得られるセルは、必要に応じてトラヒックシェーパ２４により、アクセス網５の契約帯域を守るトラヒック調整が実行されつつ、多重化筐体１９のセルバス７上に供給される。
【００８０】
アクセス網５を介してサービス提供網４に送出すべきセルがセルバス７上にある場合には、多重化用筐体１９に装着されたアクセス網インターフェイスパッケージ６によってこのセルが取得され、所定のデータ形式に変換され（セルでもよい）、トラヒックシェーピングを行いつつアクセス網５を介してサービス提供網４に送出される。
【００８１】
逆に、サービス提供網４からアクセス網５を介して受け付けられたデータは、アクセス網インターフェイスパッケージ６によりセル化されてセルバス７上に供給される。
【００８２】
サブシェルフ１８では、自己の取り扱うべきセルがセルバス７上にあれば、セルバスインターフェイス部２３によりこのセルが取得され、インターフェイス多重化部１０で個々のセルとされて時分割データ列としてサブシェルフバス２２上に供給される。
【００８３】
各通信インターフェイス・カード２０ａ〜２０ｆでは、自己宛のデータ列がサブシェルフバス２２上にあれば、このデータに対して自己の対応する端末２１ａ〜２１ｆで扱われるデータ形式への変換が実行され、変換後のデータが提供される。
【００８４】
このように、多重化装置１７では、各種の通信サービスによる送信元からのデータが一旦セルにされ、またこのセルを各種の通信サービスによる送信先へのデータに変換してこの送信先に提供される。
【００８５】
ここで、例えばユーザが端末２１ｄに代えて他の通信サービス用の端末を利用したいと望むとする。
【００８６】
この場合であっても、本実施の形態においてはサブシェルフ１８に装着可能な通信サービスが予め制限されないため、単に新規に導入を望む端末用の通信インターフェイス・カードを通信インターフェイス・カード２０ｄに代えて装着し、新規に導入を望む端末をこの新規に装着した通信インターフェイス・カードに接続すればよい。
【００８７】
以上説明したように、本実施の形態においては、サブシェルフ１８毎に、ＡＡＬ１４、ＣＬＡＤ１５、トラヒックシェーパ２４を含むセルバスインターフェイス部２３を備えている。また、この各サブシェルフ１８では、装着された複数の端末（外部装置）との間で扱われるデータ（インターフェイス信号）が一つの多重化された信号に変換され、その後セルバスインターフェイス部２３でセル化されてセルバス７に提供される。
【００８８】
これにより、複数の通信インターフェイス・カード（外部インターフェイス）をまとめて一つのセルバスインターフェイス部２３で扱うことができ、通信サービス統合時に必要となるセルバスインターフェイス部２３の数を大幅に削減することができ、装置を簡素化でき、経済性を向上させることができる。
【００８９】
また、本実施の形態においては、サブシェルフ１８に搭載可能な通信の種別が制限されないため、サブシェルフ１８毎に同じ属性を持つ複数の外部インターフェイスをまとめて一つのセルバスインターフェイス部２３で処理することができる。
【００９０】
このように属性の同じ外部インターフェイスをまとめることで、セルバスインターフェイス部２３の制御管理、競合管理を簡素化させることができる。また、この制御管理、競合管理の簡素化により、それらの制御管理用のセル数を減少させることができるため、セルバス７の容量を本来のデータ転送用として積極的に利用することができる。
【００９１】
また、本実施の形態においては、サブシェルフ１８に搭載可能な通信の種別が制限されないため、例えば新規の通信形式を利用する場合であっても装着余裕のあるサブシェルフ１８にそのまま接続することができる。
【００９２】
したがって、新規の通信形式を採用するために新しく専用のパッケージを装着する必要がない。また、装着余裕のあるサブシェルフ１８を有効に利用することができ、装置の構成物数の増加を防止して構成を簡素化させ、経済性を向上させることができる。
【００９３】
また、本実施の形態においては、外部インターフェースがサブシェルフバス２２を利用してサブシェルフ１８に収納されるため、外部インターフェイス毎に抜き差し可能となる。
【００９４】
これにより、運用中の他の外部インターフェイスに影響を与えることなく、外部インターフェイスの増設、保守などができる。
【００９５】
また、本実施の形態においては、先で説明したパッケージ２、３、６、４１等の各種パッケージとサブシェルフ１８との間で互換性を保持することができ、このパッケージ２、３、６、４１やサブシェルフ１８を多重化用筐体１９に自由に実装可能である。
【００９６】
これにより、すでに運用中の回線に影響を与えることなく、サブシェルフ１８やパッケージ単位で増設、保守などができる。また、多重化用筐体１９では自由な位置への実装を可能とするフリースロット２５においてサブシェルフ１８やパッケージを接続するため、サブシェルフ１８に実装可能な外部インターフェイスの数を自由に設定できる。
【００９７】
また、本実施の形態においては、各サブシェルフ１８の備えるセルバスインターフェイス部２３のトラヒックシェーパ２４が、セルバス７を介して接続されている他のセルバスインターフェイス部で実行されるトラヒックシェーピングも行う。
【００９８】
これにより、トラヒックシェーパの負荷分散が可能となり、例えばアクセス網５との間で作用するトラヒックシェーパ１６等のような処理量の多くなるトラヒックシェーパに対しても、セルの送出タイミングを待つためにセルを一時格納するためのセルバッファ等を小型化することができる。
【００９９】
（第２の実施の形態）
本実施の形態においては、先の第１の実施の形態における多重化装置の実装構造について説明する。
【０１００】
図２は、本実施の形態に係る多重化装置の第１の実装構造の例を示す斜視図である。
【０１０１】
この多重化装置２６は、多重化用筐体２７が水平方向にサブシェルフ２８〜３０や各種パッケージ（端末インターフェイスパッケージやアクセス網インターフェイスパッケージ、制御パッケージ等）３１〜３５を実装する。
【０１０２】
サブシェルフ２８には、通信インターフェイス・カードが１２回線分搭載できる。このサブシェルフ２８には、低速な通信を行うという共通の属性を持つ端末が通信インターフェイス・カードを介して接続されている。
【０１０３】
サブシェルフ２９、３０には、通信インターフェイス・カードが９回線分搭載できる。このサブシェルフ２９、３０には、高速な通信を行うという共通の属性を持つ端末が通信インターフェイス・カードを介して接続されている。
【０１０４】
多重化用筐体２７と各サブシェルフ２８〜３０との間の接続、及び各サブシェルフ２８〜３０と各種の通信インターフェイス・カードとの間の接続は、活線挿抜可能である。
【０１０５】
図３は、本実施の形態に係る多重化装置の第２の実装構造の例を示す斜視図である。
【０１０６】
多重化装置３７はタワー型であり、多重化用筐体３８が垂直方向にサブシェルフ２８〜３０や各種パッケージ（端末インターフェイスパッケージやアクセス網インターフェイスパッケージ、制御パッケージ等）３１〜３５を実装する。
【０１０７】
また、この多重化装置３７には、冷却用のファンユニット３８が一方の側面に備えられており、他方の側面にはサブシェルフ２８〜３０やパッケージ３１〜３５からのケーブルをサポートするためにケーブル支持体３８が備えられている。
【０１０８】
さらに、この多重化装置３７には、サブシェルフ２８〜３０及びパッケージ３１〜３５がそれぞれケーブルと接続される部分を保護するための前面保護カバー３９が備えられる。同様に、ケーブル支持体３８によるケーブルのサポートを保護するために多重化装置３７の他方の側面にケーブルサポート保護カバー４０が備えられる。
【０１０９】
なお、上記各実施の形態においては、セルは一般的な５３バイトの情報転送単位としてもよいが、この大きさに限定されるものではない。例えば、ＡＴＭの５３バイトのセルに対してバス内制御用として数バイト付加してもよい。具体的には６４バイト等としてもよい。
【０１１０】
【発明の効果】
以上詳記したように本発明においては、複数の通信インターフェイス・カードを装着可能であり、この装着された通信インターフェイス・カードからのデータをサブシェルフバス上で扱う。
【０１１１】
これにより、接続可能な通信インターフェイス・カードの種別の制限をなくすことができ、必要となるサブシェルフ数を減少させることができる。また、ある通信インターフェイス・カードを他の通信インターフェイス・カードに影響なく着脱可能とすることができるため、増設作業、保守作業を容易にすることができる。
【０１１２】
また、本発明では、通信インターフェイス・カードの種別の制限をなくすことができ、ユーザの意図に応じて通信インターフェイス・カードをまとめて管理することができる。例えば、あるサブシェルフに同様な属性を持つ通信インターフェイス・カードをまとめることで、競合管理、制御管理をサブシェルフ毎に行えばよくなり、この競合管理、制御管理を簡素化することができる。また、競合管理、制御管理の簡素化により制御用のセルを減少させることができるため、セルバスをデータ転送用のセル中心に利用することができる。
【０１１３】
また、本発明において、他の部分で実行されるトラヒック管理をサブシェルフにおいても行わせることで、トラヒックシェーピングに伴う負荷を分散化させる。
【０１１４】
これにより、トラヒックが集中する部分の負荷を軽減させることができ、この部分のトラヒックシェーピングに必要なバッファ等の装置を小型化することができる。
【０１１５】
また、本発明の多重化装置においては、フリースロット手段を設けてサブシェルフをどのスロットにでも実装可能としている。
【０１１６】
これにより、あるサブシェルフを他のサブシェルフに影響なく着脱可能とすることができ、増設作業、保守作業を容易にすることができる。また、自由な位置に実装可能であるため、サブシェルフの大きさの制限がなくなり、サブシェルフに装着可能な通信インターフェイス・カードの数を増加させることができる。
【図面の簡単な説明】
【図１】本発明の第１の実施の形態に係るサブシェルフを多重化用筐体に装着して構成される多重化装置を例示するブロック図。
【図２】本発明の第２の実施の形態に係る多重化装置の第１の実装構造の例を示す斜視図。
【図３】同実施の形態に係る多重化装置の第２の実装構造の例を示す斜視図。
【図４】従来の多重化装置の構成を示すブロック図。
【符号の説明】
１、１７、２６、３７…多重化装置
２、３…端末インターフェイスパッケージ
４…サービス提供網
５…アクセス網
６…アクセス網インターフェイスパッケージ
４１…制御パッケージ
７…セルバス
８ａ〜８ｆ、２１ａ〜２１ｆ…端末
９ａ〜９ｆ…端末インターフェイス
１０…インターフェイス多重化部
１１、２３…セルバスインターフェイス部
１２…ＡＴＭセル化部
１３、１６、２４…トラヒックシェーパ
１４…ＡＡＬ
１５…ＣＬＡＰ
１８…サブシェルフ
１９、２７、３７…多重化用筐体
２０ａ〜２０ｆ…通信インターフェイスカード
２２…サブシェルフバス
２５…フリースロット
２８〜３０…サブシェルフ
【図１】
0003779513.tif 000002
【図２】
0003779513.tif 000003
【図３】
0003779513.tif 000004
【図４】
0003779513.tif 000005